(57)【要約】【課題】開け易いうえに、収納物の取出しや口を閉じる作業に不都合が生じることがなく使い易いポーチを提供する。【解決手段】前面部３、後面部４、左右両側の側面部５，６及び底面部７が収納空間Ｓの周囲及び底側を囲繞し、前面部３、後面部４及び左右両側の側面部５，６の各々の上辺が開閉部８を形成し、開閉部８が留め具９によって開閉する構造のポーチ１であって、前面部３、後面部４、左右両側の側面部５，６及び底面部７の各々の内側に配置した裏地１２と、裏地１２の外側に配置され、前面部３及び後面部４の各々の上辺を互いに離間する方向に付勢するばね部材２０とを備える。【選択図】図１
0003204814.tif 000002
【実用新案登録請求の範囲】
【請求項１】
前面部、後面部、左右両側の側面部及び底面部が収納空間の周囲及び底側を囲繞し、前記前面部、前記後面部及び前記左右両側の側面部の各々の上辺が開閉部を形成し、前記開閉部が留め具によって開閉する構造のポーチであって、
前記前面部、前記後面部、前記左右両側の側面部及び前記底面部の内側に配置した裏地と、
前記裏地の外側に配置され、前記前面部及び前記後面部の各々の前記上辺を互いに離間する方向に付勢するばね部材と
を備えたポーチ。
【請求項２】
前記ばね部材は、棒状であり、両端部が上側を向き且つ中央部が湾曲して下側に突出するように弾性変形された状態で、前記左右両側の側面部とそれらの内側の前記裏地との間に配置された
請求項１に記載のポーチ。
【請求項３】
前記ばね部材は、無荷重時で線間密着したコイルばねである
請求項２に記載のポーチ。
【請求項４】
前記ばね部材は、金属製である
請求項２または請求項３に記載のポーチ。
【請求項５】
前記ばね部材は、外径が３ｍｍ〜４ｍｍの棒状である
請求項２から請求項４のうちいずれか一項に記載のポーチ。
【請求項６】
前記ばね部材は、線径が０．８ｍｍ〜１．２ｍｍのコイルばねである
請求項２から請求項５のうちいずれか一項に記載のポーチ。
【請求項７】
前記ばね部材の両端部は、前記側面部の前記上辺の両端付近に配置された
請求項２から請求項６のうちいずれか一項に記載のポーチ。
【請求項８】
前記ばね部材の湾曲部は、前記側面部の上下方向の中央付近に配置された
請求項７に記載のポーチ。
【請求項９】
前記側面部における湾曲状態の前記ばね部材の前記両端部の各々の外側輪郭線が配置する部位付近に沿って、前記側面部とその内側の前記裏地とを縫着した線状の縫い目を更に備えた
請求項２から請求項８のうちいずれか一項に記載のポーチ。
【請求項１０】
前記底面部は、平坦であり、
前記左右両側の側面部は、その上下方向の長さがその底辺の長さの１．６倍よりも短い長さに形成されている
請求項１から請求項９のうちいずれか一項に記載のポーチ。
【請求項１１】
前記側面部の前記上辺は、前記側面部の底辺よりも長く形成されている
請求項１から請求項１０のうちいずれか一項に記載のポーチ。
【請求項１２】
前記側面部の前記上辺は、前記側面部の底辺側に凹状に湾曲した形状である
請求項１から請求項１１のうちいずれか一項に記載のポーチ。
【請求項１３】
前記前面部及び前記後面部の各々の左右両辺は、下から上に向かって前記左右両辺の対向方向の内側に傾斜している
請求項１から請求項１２のうちいずれか一項に記載のポーチ。
【考案の詳細な説明】
【技術分野】
【０００１】
この考案は、例えば小銭や紙幣、化粧品、筆記具などの各種の小物を入れる容器に関し、より詳しくは、開け易くて使い易いポーチに関する。
【背景技術】
【０００２】
開け易いポーチとして特許文献１に開示されたものがある。これは、前面部と後面部が収納空間を挟んで相対向し底面部で連結一体化され、上面と両側面の三方が開く構造のポーチにおいて、開口した時に離れる前面部と後面部との内面に樹脂製の板部材を備えた構成である。板部材は前面部及び後面部の幅の三分の一以上の幅広で長方形の板状であり、幅方向の両端部が前面部と後面部との上端部に固定されている。このため、板部材は、ポーチを閉じた状態において断面略Ｕ字状になる。
【０００３】
このポーチでは、開口すると板部材の付勢力で前面部と後面部との上端部が互いに離れて広い開口が自動的に得られる。そのうえ、板部材における底面部に対応する底部分が、開口に伴って上昇するので、収納物の取出しが容易であるという効果もある。
【０００４】
しかし、板部材はポーチの内面に露出している。特に板部材は底面部から浮く構造であるので、収納物が板部材の下に潜り込んでしまうことがある。この場合には、収納物が取出し難いうえに、口を閉じる場合に余計な負荷が開口のスライドファスナに掛かることになる。
【０００５】
特許文献２にも、特許文献１のポーチと同様に、開口し易くしたポーチが開示されている。このポーチは、特許文献１の板部材に相当するプレート部を、取外し可能に備えている。これは、樹脂製のプレート部を長期間使用していると折り曲がり癖が付いてしまうからであり、取り外して平らに延ばすようにして復元力を回復できるようにするためである。
【０００６】
理由はともあれ、このようにプレート部が取り外し可能であれば、収納物の取出しができないことはない。
【０００７】
しかしながら、その都度プレート部を外すのは面倒であるばかりか、プレート部の下に収納物が潜り込んだまま口を閉じた場合の不都合は解消されない。
【先行技術文献】
【特許文献】
【０００８】
【特許文献１】登録実用新案第３１８２０６４号公報
【特許文献２】登録実用新案第３１９５６３６号公報
【考案の概要】
【考案が解決しようとする課題】
【０００９】
そこで、この発明は、口が開け易いうえに、収納物の取り出しや口を閉じる作業に不都合が生じることがなく使い易いポーチを提供することを主な目的とする。
【課題を解決するための手段】
【００１０】
そのための手段は、前面部、後面部、左右両側の側面部及び底面部が収納空間の周囲及び底側を囲繞し、前記前面部、前記後面部及び前記左右両側の側面部の各々の上辺が開閉部を形成し、前記開閉部が留め具によって開閉する構造のポーチであって、前記前面部、前記後面部、前記左右両側の側面部及び前記底面部の各々の内側に配置した裏地と、前記裏地の外側に配置され、前記前面部及び前記後面部の各々の前記上辺を互いに離間する方向に付勢するばね部材とを備えたポーチである。
【００１１】
この構成では、留め具を外すだけで、ばね部材の付勢力によって開閉部を全開にできるため、開閉部が開け易い。さらに、ばね部材の付勢力によってこの全開状態を保持できるため、収納物の取り出しが容易である。また、ばね部材が裏地の外側に配置されている（即ちばね部材が収納空間に露出していない）ため、収納物がばね部材の下に潜り込んだりして取り出し難くなったり、開閉部が閉じ難くなったりする不都合が発生することを防止できる。このため、非常に使い易いポーチとなる。
【００１２】
前記ばね部材は、棒状であり、両端部が上側を向き且つ中央部が湾曲して下側に突出するように弾性変形された状態で、前記左右両側の側面部とそれらの内側の前記裏地との間に配置されてもよい。
【００１３】
この構成では、ばね部材はポーチにおいてあまり触られない部分に配置されているため、ポーチの触り心地を損なうことなく、ばね部材を備えることができる。また、ばね部材の付勢力によって開閉部の前辺及び後辺の各々の中央部分が外側に湾曲することがないため、開閉部の全開状態での輪郭を略矩形状態に保持でき、ポーチの外観が美麗である。さらに、ばね部材は棒状であるため、ばね部材が左右両側の側面部とそれらの内側の裏地との間に配置されても、ばね部材による側面部の膨らみが抑制されるため、ばね部材が配置されていることを外観上分かり難くでき、これによっても、ポーチの外観を美麗にできる。さらに、ばね部材は、両端部が上側を向き且つ中央部が湾曲して下側に突出するように弾性変形されているため、上述のようにポーチの触り心地及び外観の美麗さを確保しつつ、ばね部材の付勢力を十分に発揮させることができる。
【００１４】
前記ばね部材は、無荷重時で線間密着したコイルばねであってもよい。この構成では、ばね部材と側面部及び裏地との間の接触面積を低減できて摩擦抵抗を軽減できるため、ばね部材が開閉部を開けるとき、ばね部材の付勢力を、摩擦抵抗によって弱められることなく開閉部を開けるために効果的に発揮させることができる。
【００１５】
前記ばね部材は、金属製であってもよい。この構成では、ばね部材を比較的細く形成しても、開閉部を開けるために十分な付勢力を確保できる。なお、ばね部材を比較的細く形成すると、ばね部材を側面部とその内側の裏地との間に配置しても、ばね部材による側面部の膨らみが抑制されるため、ばね部材が配置していることを外観上分かり難くできる。
【００１６】
前記ばね部材は、外径が３ｍｍ〜４ｍｍの棒状であってもよい。この構成では、ばね部材は比較的細く形成されているため、ばね部材を側面部とその内側の裏地との間に配置しても、ばね部材による側面部の膨らみを抑制でき、ばね部材が配置していることを外観上分かり難くできる。
【００１７】
前記ばね部材は、線径が０．８ｍｍ〜１．２ｍｍのコイルばねであってもよい。この構成では、ばね部材として、付勢力を十分に確保しつつ、比較的細く（即ち外径が小さく）形成されたコイルばねを用いることができる。
【００１８】
前記ばね部材の両端部は、前記側面部の前記上辺の両端付近に配置されてもよい。この構成では、ばね部材の付勢力を開閉部を開けるために効果的に発揮させることができる。
【００１９】
前記ばね部材の湾曲部は、前記側面部の上下方向の中央付近に配置されてもよい。この構成では、ばね部材が下側に下がり過ぎることを防止できるため、ばね部材を略Ｖ字状に比較的浅く湾曲させた状態で、ばね部材の両端部を側面部の上辺の両端付近に配置させることができ、これにより安定した強さの付勢力をばね部材に発揮させることができ、且つ付勢力を前面部及び後面部の各々の上辺が離間する方向に効果的に発揮させることができる。
【００２０】
前記側面部における湾曲状態の前記ばね部材の前記両端部の各々の外側輪郭線が配置する部位付近に沿って、前記側面部とその内側の前記裏地とを縫着した線状の縫い目を更に備えてもよい。この構成では、ばね部材が最適な湾曲形状よりも外側に開き過ぎること、及びばね部材が最適な位置よりも側面部の横方向にずれることを防止するように、ばね部材の両端を位置決めすることができる。
【００２１】
前記底面部は、平坦であり、前記左右両側の側面部は、その上下方向の長さをその底辺の長さの１．６倍よりも短い長さに形成されてもよい。この構成では、底面部が平坦であるため、ポーチを安定して自立させることができる。さらに、左右両側の側面部は、その上下方向の長さがその底辺の長さの１．６倍よりも短い長さに形成されているため、ポーチの重心が高くなり過ぎず、より一層、ポーチを安定して自立させることができる。
【００２２】
前記側面部の前記上辺は、前記側面部の底辺よりも長く形成されてもよい。この構成では、開閉部の前後方向の長さが底面部のそれよりも大きくなるため、開閉部の全開状態で、収納空間の奥まで視認し易くなり、収納物の出し入れが容易である。
【００２３】
前記側面部の前記上辺は、前記側面部の底辺側に凹状に湾曲した形状であってよい。この構成では、開閉部が全開した状態では、開閉部をより広く見せることができるため、収納物の出し入れが容易である。また、開閉部が閉じた状態では、側面部の上辺が真ん中で折り畳まれて外側に張り出す場合があるが、その場合、その張り出す量を抑制できるため、開閉部を閉じたときのポーチの左右方向の長さをコンパクトに納めることができると共に、閉じたときのポーチの外観も美麗である。
【００２４】
前記前面部及び前記後面部の各々の左右両辺は、下から上に向かって前記左右両辺の対向方向の内側に傾斜していてもよい。この構成では、開閉部を閉じた状態では、側面部の上辺が真ん中で折り畳まれて外側に張り出す場合があるが、その場合、その張り出す量を抑制できるため、開閉部を閉じたときのポーチの左右方向の長さをコンパクトに収めることができると共に、閉じたときのポーチの外観も美麗である。
【考案の効果】
【００２５】
以上のように、この発明によれば、開閉部が開け易いうえに、収納物の取り出しや開閉部を閉じる作業に不都合が生じることがなく使い易いポーチを提供することができる。
【図面の簡単な説明】
【００２６】
【図１】ポーチを開いた状態を示す斜視図。
【図２】ポーチを開いた状態を示す正面図。
【図３】ポーチを開いた状態を示す側面部。
【図４】裏地を分解した状態を示す平面図。
【図５】ばね部材を示す正面図。
【図６】ポーチを閉じた状態を示す斜視図。
【図７】ポーチを閉じた状態を示す正面図。
【考案を実施するための形態】
【００２７】
この考案を実施するための一形態を、以下図面を用いて説明する。  
図１、図２及び図３はそれぞれ、この考案のポーチ１を開いた状態を示す斜視図、正面図及び側面図である。図４は、裏地１２を分解した状態を示す平面図であり、詳しくは、図４（ａ）は、前面部３、後面部４及び底面部７の裏側に配置する裏地部１２１を展開した状態を内側から見た平面図であり、図４（ｂ）及び（ｃ）はそれぞれ、左右両側の側面部５，６の内側に配置する裏地部１２２，１２３を内側から見た正面図である。図５は、無荷重時のばね部材２０を示す正面図である。図６及び図７はそれぞれ、この考案のポーチ１を閉じた状態を示す斜視図及び正面図である。なお、図１〜４，６，７において矢印で示す「前」「後」「左」「右」「上」「下」は、ポーチ１の前側、後側、左側、右側、上側及び下側を示している。
【００２８】
図１、図２及び図３に示すように、ポーチ１は、前面部３、後面部４、左右両側の側面部５，６及び底面部７が収納空間Ｓの周囲及び底側を囲繞し、前面部３、後面部４及び左右両側の側面部５，６の各々の上辺が開閉部８を形成し、開閉部８が留め具９によって開閉する構造のポーチである。
【００２９】
ポーチ１は、寸法の一例を挙げるならば、左右方向の長さが１８０ｍｍ程度で上下方向の長さが１００ｍｍ程度で前後方向の長さが８０ｍｍ程度に形成されており、自立して配置させることができ、留め具９を外すことによって開閉部８が自動的に全開するポーチである。
【００３０】
前面部３及び後面部４は、互いに同形同大で正面視台形状である。前面部３及び後面部４の各々の左右両辺は、左右両辺の対向方向の内側に若干傾斜している。左右両側の側面部５，６は、互いに同形同大で正面視略逆台形である。詳しくは、左右両側の側面部５，６は、上辺の前後方向の長さが底辺の前後方向の長さよりも例えば１．５倍〜１．６倍長く形成されており、前後両辺が前後両辺の対向方向の外側に若干傾斜しており、上辺が全体的に底辺側に凹状に湾曲した形状をしており、下部の前後両側の角が丸くなっている。底面部７は、平面視長方形状であり、長手方向（即ち左右方向）の長さが前面部３及び後面部４の底辺の長さと同じ長さに形成され、短手方向（即ち前後方向）の長さが左右両側の側面部５，６の底辺の長さと同じ長さに形成されている。
【００３１】
前面部３、後面部４、左右両側の側面部５，６及び底面部７は、例えば綿素材の厚織物生地（例えばヒッコリー生地）によって形成されている。前面部３の底辺が底面部７の前辺に縫着されると共に、後面部４の底辺が底面部７の後辺に縫着されている。そして、左側の側面部５の前辺、底辺及び後辺がそれぞれ、ハイピン１０を介して前面部３の左辺、底面部７の左辺及び後面部４の左辺に縫着されており、同様に、右側の側面部６の前辺、底辺及び後辺がそれぞれ、ハイピン１１を介して前面部３の右辺、底面部７の右辺及び後面部４の右辺に縫着されている。各ハイピン１０，１１は、例えば綿素材の厚織物生地（例えばデニム生地）で形成されている。
【００３２】
前面部３、後面部４、左右両側の側面部５，６及び底面部７の各々の内側には、裏地１２が配置されている。裏地１２は、例えばナイロンなどの合成繊維からなる生地で形成されている。裏地１２は、図４に示すように、前面部３、後面部４及び底面部７の裏側に配置する裏地部１２１と、左側の側面部５の裏側に配置する裏地部１２２と、右側の側面部６の裏側に配置する裏地部１２３とで構成されている。
【００３３】
裏地部１２１は、前面部３の裏側に配置する前面部領域１２１ａと、後面部４の裏側に配置する後面部領域１２１ｂと、底面部７の内側に配置する底面部領域１２１ｃとで構成されており、上述のように縫着された前面部３、後面部４及び底面部７の全体と同形同大である。各裏地部１２２，１２３はそれぞれ、左右両側の側面部５，６と同形同大である（図４参照）。
【００３４】
裏地部１２１の左辺は、ハイピン１４を介して裏地部１２２の前辺、底辺及び後辺に縫着されており、裏地部１２１の右辺は、ハイピン（図示省略）を介して裏地部１２３の前辺、底辺及び後辺に縫着されている。ハイピン１４及び上述の図示省略のハイピンはそれぞれ、例えば裏地１２と同種の生地で形成されている。
【００３５】
ハイピン１４は、ハイピン１０に縫着されており、上述の図示省略のハイピンはハイピン１１に縫着されている。これにより、裏地部１２１の前面部領域１２１ａ、後面部領域１２１ｂ及び底面部領域１２１ｃがそれぞれ前面部３、後面部４及び底面部７の内側に固定され、各裏地部１２２，１２３がそれぞれ左右両側の側面部５，６の内側に固定される。ハイピン１４及び上述の図示省略のハイピンの中には、可撓性を有する細長の芯材が収容されている。これにより、左右両側の側面部５，６の輪郭が型崩れすることを抑制することができ、ポーチ１の外観を美麗にできる。
【００３６】
前面部３の内側の裏地１２（即ち前面部領域１２１ａ）には、内ポケット１８が１個設けられている。このため、前面部領域１２１ａの内側には、内ポケット１８を形成するための内ポケット形成生地１８１が縫着されている。内ポケット形成生地１８１は、例えば裏地１２と同種の生地であり、左右方向の長さが前面部領域１２１ａの左右方向の長さと同じに形成され、上下方向の長さが前面部領域１２１ａの上下方向の長さよりも短く形成されている。内ポケット形成生地１８１は、上辺が前面部領域１２１ａの上辺よりも下側にずらして配置された状態で、左右両辺及び底辺がそれぞれ前面部領域１２１ａの左右両辺及び底辺に縫着されている。
【００３７】
また、後面部４の内側の裏地１２（即ち後面部領域１２１ｂ）には、内ポケット１９が２個設けられている。このため、後面部領域１２１ｂの内側には、内ポケット１９を形成するための内ポケット形成生地１９１が縫着されている。内ポケット形成生地１９１は、例えば裏地１２と同種の生地であり、左右方向の長さが後面部領域１２１ｂの左右方向の長さよりも長く形成されており、上下方向の長さが後面部領域１２１ｂの上下方向の長さよりも短く形成されている。
【００３８】
内ポケット形成生地１９１は、左右方向の長さの中央部分が上下方向に沿ってカエル折りされることで後面部領域１２１ｂの左右方向の長さと同じ長さに調整されており、上辺が後面部領域１２１ｂの上辺よりも下側にずらして配置された状態で、左右両辺及び底辺がそれぞれ後面部領域１２１ｂの左右両辺及び底辺に縫着されると共に、カエル折り部分の中心が上下方向に沿って後面部領域１２１ｂに縫着されている。カエル折り部分の中心が上下方向に沿って後面部領域１２１ｂに縫着されることで、収納ポケット１９が２個形成されている。
【００３９】
底面部７とその内側の裏地１２（即ち底面部領域１２１ｃ）との間には、底面部７の平坦さを維持するための芯材（図示省略）が配置されている。この芯材は、適度な弾性を有し且つ可撓性を有するシート状の部材であり、例えば、ベルポーレンなどの発泡樹脂又は厚紙である。この芯材は、底面部７と同形同大であり、例えば、底面部７の上面に縫着又は接着されている。
【００４０】
開閉部８の周縁（即ち前面部３、後面部４及び左右両側の側面部５，６の各々の上辺側の縁）には、例えばポーチ１の外観を美麗にするために、縁布１７が縫着されている。縁布１７は、例えば綿素材の厚織物生地によって細長の帯状に形成されている。縁布１７は、短手方向の中間で山折りされており、開閉部８の周縁と各裏地部１２１，１２２，１２３の各々の上辺側の縁とを山折りの内側に挟み込んだ状態で、開閉部８の周縁の全周に亘って縫着されている。
【００４１】
留め具９は、スライドファスナである。留め具９は、開閉部８の周縁に設けられた一対のエレメント９ａ，９ｂと、一対のエレメント９ａ，９ｂに沿って移動可能なスライダー９ｃとで構成されている。一方のエレメント９ａは、開閉部８の周縁の前半部分（即ち左右両側の側面部５，６の上辺側の縁の前半部分、及び前面部３の上辺側の縁全体）に亘って縫着されており、他方のエレメント９ｂは、開閉部８の周縁の後半部分（即ち左右両側の側面部５，６の上辺側の縁の後半部分、及び後面部４の上辺側の縁全体）に亘って縫着されている。これにより、開閉部８は、ポーチ１の前後方向に開閉可能である。なお、一対のエレメント９ａ，９ｂの両端はそれぞれ、左右両側の側面部５，６の外側に突出するように延長されている。
【００４２】
また、ポーチ１は、裏地１２の外側に配置され、前面部３及び後面部４の各々の上辺を互いに離間する方向に付勢するばね部材２０を更に備えている。具体的には、ばね部材２０は、左右両側の側面部５，６とそれらの内側の裏地１２（裏地部１２２，１２３）との間にそれぞれ配置されている。
【００４３】
ばね部材２０は、金属製の棒状で且つ無荷重時で線間密着したコイルばねであり、寸法の一例を挙げるならば、自然長が左右両側の側面部５，６の底辺の長さの１．５倍程度（例えば１．４倍〜１．６倍）の長さに形成され、外径が３ｍｍ〜４ｍｍの太さに形成され、線径が０．８ｍｍ〜１．２ｍｍの太さに形成されている。ばね部材２０は、開閉部８が開いた状態で略Ｖ字状に湾曲するように（即ち両端部が上側を向き且つ中央部が比較的浅く湾曲して下側に突出するように）弾性変形されて配置されており、両端部が側面部５，６の上辺の両端付近に配置され、湾曲部が側面部５，６の上下方向の中央付近に配置されている。
【００４４】
このように、ばね部材２０は、開閉部８が開いた状態で略Ｖ字状に湾曲するように（即ち最適な湾曲状態に）弾性変形されて配置されるため、開閉部８を閉じたときにばね部材２０が弾性限界を超えることを抑制できると共に、開閉部８を開けるときに安定した強さの付勢力を永続して発揮させることができる。ばね部材２０の湾曲部が側面部５，６の上下方向の中央付近に配置される（即ちばね部材２０の湾曲部が最適な位置に配置される）ため、ばね部材２０が下がる過ぎることを防止でき、これにより、ばね部材２０を略Ｖ字状に湾曲させた状態で、ばね部材２０の両端部を側面部５，６の上辺の両端部付近い配置させることができる。また、ばね部材２０の両端部は側面部５，６の上辺の両端付近に配置される（即ちばね部材２０の両端部は最適な位置に配置される）ため、ばね部材２０の付勢力を開閉部８を開けるために効果的に発揮させることができる。
【００４５】
ばね部材２０は、無荷重時では、直線形状である（図５の実線）。このため、ばね部材２０は、左右両側の側面部５，６とそれらの内側の裏地１２との間に配置された状態（即ち湾曲するように弾性変形された状態（図５の２点鎖線））では、直線状態に戻ろうとする弾性復帰力によって、前面部３及び後面部４の各々の上辺を互いに離間する方向に付勢する。
【００４６】
また、左右両側の側面部５，６にはそれぞれ、上述した最適な湾曲状態を保持すると共に最適な位置に配置されるように、ばね部材２０を位置決めするための縫い目２２，２３，２４が設けられている。
【００４７】
縫い目２２は、湾曲線状の縫い目であり、側面部５，６における湾曲状態のばね部材２０の凹側輪郭線が配置する部位付近に沿って、側面部５，６とその内側の裏地１２（即ち裏地部１２１，１２２）とを縫着している。これにより、ばね部材２０が最適な湾曲状態よりも内側に湾曲し過ぎること、及び、ばね部材２０が最適な位置よりもばね部材２０の凹側（即ち側面部５，６の上側）にずれ過ぎて配置することを防止でき、これにより、ばね部材２０の付勢力を前面部３及び後面部４の各々の上辺が離間する方向に効果的に発揮させることができる。
【００４８】
縫い目２３は、線状の縫い目であり、側面部５，６における湾曲状態のばね部材２０の両端部の各々の外側輪郭線が配置する部位付近に沿って、側面部５，６とその内側の裏地１２（即ち裏地部１２１，１２２）とを縫着している。これにより、ばね部材２０が最適な湾曲状態よりも外側に開き過ぎること、及び、ばね部材２０が最適な位置よりも側面部５，６の横方向（即ちポーチ１の前後方向）にずれて配置することを防止でき、これによっても、ばね部材２０の付勢力を前面部３及び後面部４の各々の上辺が離間する方向に効果的に発揮させることができる。
【００４９】
なお、ばね部材２０の両端部はそれぞれ、縫い目２２と、縫い目２３と、側面部５，６の上辺側の縁に縁布１７を縫着したときの縫い目２５（図３参照）とによって袋状に囲まれており、縫い目２５によっても、ばね部材２０が最適な位置よりもばね部材２０の凹側にずれ過ぎて配置することが防止されている。
【００５０】
縫い目２４は、横線状であり、側面部５，６における湾曲状態のばね部材２０の湾曲部の凸側頂点が配置する部位付近を通過するように、例えば側面部５，６の左右両辺の間に亘って、側面部５，６とその内側の裏地１２（即ち裏地部１２１，１２２）とを縫着している。これにより、ばね部材２０が最適な位置よりもばね部材２０の凸側にずれることを防止でき、これによっても、ばね部材２０の付勢力を前面部３及び後面部４の各々の上辺が離間する方向に効果的に発揮させることができる。
【００５１】
以上のように構成されたポーチ１は、図６及び図７に示すように、開閉部８を閉じた状態では、収納空間Ｓに何も入れていなくても、ばね部材２０の付勢力によって一定の張りのある状態に保たれる。膨らんだ状態であっても、何も入っていない状態であれば、押されることによって小さくなるので、不必要に場所を取ることはない。
【００５２】
また、底面部７が平坦であるため、ポーチ１を安定して自立させることができる。しかも、左右両側の側面部５，６がその上下方向の長さがその底辺の長さの１．６倍よりも短い長さであるため、ポーチ１の重心が高くなり過ぎず、より一層、ポーチを安定して自立させることができる。さらに、芯材によって底面部７の平坦さが確保されているため、平面部７の平坦さが型崩れし難く、ポーチ１を長く使用し続けても、その安定した自立を確保できる。
【００５３】
さらに、開閉部８が閉じた状態では、側面部５，６の上辺が真ん中で折り畳まれて外側に張り出す場合があるが、この場合、側面部５，６の上辺が側面部５，６の底辺側に凹状に湾曲した形状であるため、その張り出す量を抑制でき、これにより、開閉部８を閉じたときのポーチ１の左右方向の長さをコンパクトに納めることができると共に、閉じたときのポーチ１の外観も美麗である。このようなポーチ１のコンパクトさ及び外観の美麗さは、前面部３及び後面部４の各々の左右両辺が下から上に向かって左右両辺の対向方向の内側に傾斜していることによっても得られる。
【００５４】
また、図１、図２及び図３に示すように、開閉部８を開けるときは、留め具９のスライダー９ｃを開閉部８を開ける方向にスライドさせるだけで、ばね部材２０の付勢力によって開閉部８を全開にできるため、開閉部８が開け易い。さらに、ばね部材２０の付勢力によってこの全開状態が保持されるため、収納物の取り出しが容易である。
【００５５】
さらに、開閉部８の全開状態では、側面部５，６の上辺が側面部５，６の底辺よりも１．５倍〜１．６倍長く形成されているため、収納空間Ｓの奥まで視認し易く、収納物の出し入れが容易である。なお、１．５倍よりも短い場合は、収納空間Ｓの奥まで視認し易くなるという効果が十分に発揮できなくなる場合があり、１．６倍よりも長い場合は、ポーチ１の前後のバランスが不安定になる場合があるため、１．５倍〜１．６倍が最適である。さらに、側面部５，６の上辺が側面部５，６の底辺側に凹状に湾曲した形状であるため、開閉部８をより広く見せることができ、これによっても収納物の出し入れを容易する。従って、小銭などのように種類が沢山あるものをポーチ１に収納しても、選んで取りだすことが極めて容易である。
【００５６】
そのうえ、ばね部材２０が裏地１２の外側に配置されているため、即ちばね部材２０が収納空間Ｓに露出していないため、収納物がばね部材２０の下に潜り込んだりして取り出し難くなったり、開閉部８が閉じ難くなったりする不都合が発生することを防止できる。このため、非常に使い易いポーチとなる。
【００５７】
また、ばね部材２０は、側面部５，６とそれらの内側の裏地１２との間に配置されているため、即ちばね部材２０はポーチ１においてあまり触られない部分に配置されているため、ポーチ１の触り心地を損なうことなく、ばね部材２０を備えることができる。さらに、ばね部材２０が側面部５，６とそれらの内側の裏地１２との間に配置されていることによって、ばね部材２０の付勢力によって開閉部８の前辺及び後辺の各々の中央部分が外側に湾曲することがないため、開閉部８の全開状態での輪郭を略矩形状態に保持でき、ポーチ１の外観が美麗である。
【００５８】
さらに、ばね部材２０は棒状であるため、ばね部材２０が側面部５，６とそれらの内側の裏地１２との間に配置されても、ばね部材２０による側面部５，６の膨らみが抑制されるため、ばね部材２０が配置されていることを外観上分かり難くでき、これによっても、ポーチ１の外観を美麗にできる。さらに、ばね部材２０は、両端部が上側を向き且つ中央部が湾曲して下側に突出するように弾性変形されているため、上述のようにポーチ１の触り心地及び外観の美麗さを確保しつつ、ばね部材２０の付勢力を十分に発揮させることができる。
【００５９】
また、ばね部材２０は無荷重時で線間密着したコイルばねであるため、ばね部材２０と側面部５，６及び裏地１２との間の接触面積を低減できて摩擦抵抗を軽減でき、これにより、ばね部材２０が開閉部８を開けるとき、ばね部材２０の付勢力を、摩擦抵抗によって弱められることなく開閉部８を開けるために効果的に発揮させることができる。
【００６０】
さらに、ばね部材２０は、外径が３ｍｍ〜４ｍｍの棒状であるため、即ち比較的細く形成されているため、ばね部材２０を側面部５，６とその内側の裏地１２との間に配置しても、ばね部材２０による側面部５，６の膨らみを抑制でき、ばね部材２０が配置していることを外観上分かり難くできる。
【００６１】
また、ばね部材２０は、線径が０．８ｍｍ〜１．２ｍｍのコイルばねであるため、ばね部材２０として、付勢力を確保しつつ、比較的細く（即ち外径が小さく）形成されたコイルばねを用いることができる。線径が０．８ｍｍ未満であると、十分な付勢力を確保し難くなり、線径が１．２ｍｍよりも大きいと、コイルばねの外径を十分に小さくすることが難しくなる。
【００６２】
さらに、ばね部材２０は金属製であるため、ばね部材２０を比較的細く形成しても、開閉部８を開けるために十分な付勢力を確保できる。金属製のばね部材２０は、耐久性が良く、長期間にわたって良好に使用することができる。ばね部材２０の耐久性の良さは、ばね部材２０の保持（即ち配置の固定）を縫着によって行うことからも得られる。即ち、ばね部材２０の保持を粘着剤に頼ると、経年変化や変形に伴って粘着部分が外れ易くなるが、縫着であるため、縫い目２２，２３，２４が外れない限り保持状態を維持できる。
【００６３】
以上の構成は、この発明を実施するための一形態の構成であって、その他の構成を採用することもできる。例えば、ばね部材２０を金属製のコイルばねに代えて、樹脂製のチューブなど、金属製以外の材質で形成すると共にコイルばね以外の形態を有するものに変更してもよい。また、ばね部材２０を側面部５，６とそれらの内側の裏地１２との間に配置する代わりに、前面部３、底面部７及び後面部４の内側に亘ってそれらの内側の裏地１２との間に配置してもよい。また、留め具９をスライドファスナに代えて、がまぐちの口金など、その他の開閉手段に変更してもよい。
【００６４】
さらに、前面部３、後面部４、側面部５，６及び底面部７の生地の種類を綿素材の厚織物に代えて合成繊維やビニールシート等の樹脂製のシート材に変更してもよい。また、ばね部材２０を略Ｖ字状に比較的浅く湾曲させたが、略Ｖ字状に限定するものではなく、例えば略Ｕ字状に比較的深く湾曲させてもよい。また、縫い目２２，２３，２４の形状をそれぞれ、湾曲線状、線状及び横線状としたが、このような形状に限定するものではなく、縫い目２２，２３，２４が上述の効果を発揮することができれば、どのような形状であってもよい。
【００６５】
なお、上述したポーチ１の寸法や形状、及び側面部５，６の上辺の前後方向の長さや上下方向の長さは、あくまでも目安であって、そのような寸法及び形状に限定するものではなく、上述した効果が発揮できれば、どのような寸法及び形状であってもよい。
【符号の説明】
【００６６】
１…ポーチ
３…前面部
４…後面部
５，６…側面部
７…底面部
８…開閉部
９…留め具
１２…裏地
２０…ばね部材
２２，２３，２４…縫い目
Ｓ…収納空間
【図１】
0003204814.tif 000003
【図２】
0003204814.tif 000004
【図３】
0003204814.tif 000005
【図４】
0003204814.tif 000006
【図５】
0003204814.tif 000007
【図６】
0003204814.tif 000008
【図７】
0003204814.tif 000009